(57)【要約】【課題】本発明は、傾斜や段差のある場所で使用しても前のめりにならず、椅子の座面を常に水平に保つ構造の発明である。通常、椅子は平らな地面や床で使用するが、斜面や段差のある場所で使用した場合、座面が傾き不安定で転倒する危険もあり、快適な座り心地が得られないため、傾斜や段差のある場所でも平地と同様な座り心地が得られる椅子を提供する。【解決手段】パイプ状の椅子の後側の脚２本にネジ溝の付いた棒状の脚を収納し、ネジ溝付の脚を出し入れして後脚の長さを無段階調節する構造です。斜面や段差のある場所でも座面は平らとなり、長時間、安定した座り心地を提供する椅子を提案する。【選択図】図１
2013198707.tif 000002
【特許請求の範囲】
【請求項１】
椅子の後脚に、中空の円筒形長尺パイプの後脚上（パイプ状）（６）と、その下端に固定したナット上（６に固定）（１０）を長さ固定部（７）に設け、更にその下方に後脚上（パイプ状）（６）の中空部内に一部分を収納しナット上（６に固定）（１０）に螺着した、表面にねじ溝を形成する後脚下（溝付）（８）を設け、段差や傾斜角度に合わせて後脚下（溝付）（８）を回動させて、座面（２）が水平になるよう後脚（５）の長さを無段階に調整し、所定の位置に合わせた後、ナット上（６に固定）（１０）の下方に設けた、ナット下（取っ手付）（１１）を回動してナット上（６に固定）（１０）方向に締め付けて圧着させる事で、後脚下（溝付）（８）の回動を抑止させ、先に調整した後脚（５）の長さを固定する機能を特徴とする椅子。
ナット下（取っ手付）（１１）を回動させ、ナット上（６に固定）（１０）との間隔を広げる事によって、後脚下（溝付）（８）が回動可能となり、傾斜角度に適した後脚（５）の長さに調整する事で、傾斜でも座面を水平にする事を可能とする。
【請求項２】
設置する場所の傾斜（または段差）角度に合わせて椅子の後脚（５）の長さを調整する補助として、後脚（５）の上部先端にロープ（４）の片端を取り付け、他方を重力で真下に垂れたる現象を活かして椅子の背もたれ面（１）の裏面に垂らし、傾斜角度目盛（１５）に刻んだ赤色、黄色、青色とロープ（４）が重なった位置と同じ色を、後脚下（溝付）（８）の傾斜角度に合わせた目印線（１４）の赤色、黄色、青色を目安にして探し、その位置をナット上（６に固定）（１０）の真下に合わせる事で、座面（２）が水平となる後脚（５）の長さに容易に調整できる事を特徴とする請求項１記載の椅子。
【請求項３】
椅子の後脚下の先端部（９）は、先端部を地面に沈み込ませて位置固定出来るよう鋭角な先端（１２）で形成され、かつ該先端部付近には、過度の沈み込みを防止するための沈み込み防止傘（１３）を設けた事を特徴とする請求項１記載の椅子。
【発明の詳細な説明】
【技術分野】
【０００１】        本発明は、斜面や段差のある場所でも長時間快適に座れるよう椅子の座面を水平に保ち、更に斜面で使用した際に重力等で下方に滑り落ちる事を防止する機能を持つ、椅子の構造に関するものである。
【背景技術】
【０００２】        従来、椅子は固定した長さの脚４本で座面を水平に支える構造で、使用する場所は平らな地面や床に限定するものであった。すなわち、少しでも傾斜や段差のある場所で使用する事を全く想定されていないため、緩やかな傾斜なら短時間は使用出来るが、座面が傾いて前かがみになるなど不安定で、倒れそうになる体を座りながら人が脚で支える必要があり、長時間安定した座り心地を得る事は出来ない。また、椅子の構造は真上からの加重を想定して設計されているため、斜面で使用すると設計上想定しない斜め加重の力が加わり歪みや破損で座っている人が転倒する危険性がある。なお、斜面では座った人の体重も加わり、斜面の下方向に滑り落ちる可能性があるが、それを防止する機能の椅子（特許文献１）は既に知られている。
【先行技術文献】
【特許文献】
【０００３】
【特許文献１】  実用新案  平０７−０２５８４９（平７．５．１６）
【発明の概要】
【発明が解決しようとする課題】
【０００４】    従来の椅子には次のような欠点があった。
（イ）    椅子の脚は長さが固定されているため、段差や傾斜のある場所で使用すると座面が傾いてしまい、不安定で座り心地が非常に悪い。
（ロ）    緩い傾斜や緩い段差であれば、倒れそうな体を足で支えながら使用できるが、足が疲れるため長時間の利用は疲れる。
（ハ）    傾いた状態で使用すると、想定外の力が椅子の脚に掛かるため、曲がったり、折れたりして、座った人が転倒する危険性がある。
（ニ）    平らな地面や床での使用を前提としているため、椅子の脚の先端は平らな形状で、斜面で使用した場合は下方に滑り落ちて転倒する危険性がある。
本発明は、上記の問題点を解決するために発明されたものである。
【課題を解決するための手段】
【０００５】        椅子の前２本の脚は長さを固定した通常の前脚（３）とし、後２本の脚は椅子の後脚に、中空の円筒形長尺パイプの後脚上（パイプ状）（６）と、その下端に固定したナット上（６に固定）（１０）を長さ固定部（７）に設け、更にその下方に後脚上（パイプ状）（６）の中空部内に一部分を収納しナット上（６に固定）（１０）に螺着した、表面にねじ溝を形成する後脚下（溝付）（８）を設け、段差や傾斜角度に合わせて後脚下（溝付）（８）を回動させて、座面（２）が水平になるよう後脚（５）の長さを無段階に調整し、所定の位置に合わせた後、ナット上（６に固定）（１０）の下方に設けた、ナット下（取っ手付）（１１）を回動してナット上（６に固定）（１０）方向に締め付けて圧着させる事で、後脚下（溝付）（８）の回動を抑止させ、先に調整した後脚（５）の長さを固定する機能を特徴とする椅子。
ナット下（取っ手付）（１１）を回動させ、ナット上（６に固定）（１０）との間隔を広げる事によって、後脚下（溝付）（８）が回動可能となり、傾斜角度に適した後脚（５）の長さに調整する事で、傾斜でも座面を水平にする事が可能である。
設置する場所の傾斜（または段差）角度に合わせて椅子の後脚（５）の長さを調整する補助として、後脚（５）の上部先端にロープ（４）の片端を取り付け、他方を重力で真下に垂れたる現象を活かして椅子の背もたれ面（１）の裏面に垂らし、傾斜角度目盛（１５）に刻んだ赤色、黄色、青色とロープ（４）が重なった位置と同じ色を、後脚下（溝付）（８）の傾斜角度に合わせた目印線（１４）の赤色、黄色、青色を目安にして探し、その位置をナット上（６に固定）（１０）の真下に合わせる事で、座面（２）が水平となる。
椅子の後脚下の先端部（９）は、先端部が地面に沈み込ませて位置固定出来るよう鋭角な先端（１２）で形成され、かつ該先端部付近には、過度の沈み込みを防止するための沈み込み防止傘（１３）を設けた。
【発明の効果】
【０００６】        本発明を使用する事によって、屋外スポーツの競技観戦や公園、河川等でのイベント会場など、人が集まって混みあう場所で、限られた平らな場所を探す手間も無くなる他、レジャーやアウトドア等で屋外の河川や山、海などに行った際、斜面や段差のある所でも安定した座り心地で長時間寛ぐ事ができる。
また、斜面で使用する事で平地より高い視線で眺望を楽しむ事ができる。
【図面の簡単な説明】
【０００７】
【図１】    本発明の斜視図
【図２】    本発明の要部拡大の断面図（長さ固定部）
【図３】    本発明の要部拡大図（後脚下）
【図４】    本発明の背面図（傾斜角度目盛と、傾斜角度を測るロープ）
【図５】    従来品を斜面で使用した場合の横面図
【図６】    本発明を斜面で使用した場合の横面図
【図７】    本発明を段差のある場所で使用した場合の横面図
【発明を実施するための形態】
【０００８】  以下、本発明の実施の形態を説明する。
（イ）    椅子の後脚（５）の上部先端に、斜面（または段差）の傾斜角度を測るためのロープ（４）を設け、椅子の背もたれ（１）の裏面に傾斜角度目盛（１５）を設ける。通常、ロープ（４）は後脚（５）２本の上部先端間に跨いで繋いでおくが、両端の留め具は手で容易に取り外し可能とする。
（ロ）    座面（２）を水平にするためには、後脚（５）の長さを斜面（または段差）の傾斜角度に相当する長さに合わせる必要があるため、本発明では後脚（５）の長さ調整を補助するために、傾斜角度目盛（１５）に大まかに赤色、黄色、青色の印を設け、同様に後脚下（８）にも赤色、黄色、青色の目印線（１４）を設け、傾斜角度目盛（１５）で示す位置の色を参考に、後脚下（８）にある目印線（１４）で示す同じ色の位置をナット上（１０）の真下の位置に後脚下（８）を回動して合わせる事で、傾斜角度に相当する後脚（５）の長さに調整できる構造とした。
（ハ）    傾斜（または段差）の大まかな角度を測定するため、椅子を斜面に対して横向きに仮置きする。
（ニ）    傾斜の低い側の後脚（５）の上部先端に取り付けているロープ（４）を手で取り外し、傾斜の高い側の後脚（８）の上部先端の片側にロープ（４）の片端を留めた状態にし、他方を椅子背もたれ（１）の裏側に重力に任せて下方向に垂らす。
（ホ）    椅子背もたれ（１）裏面にある傾斜角度目盛（１５）に、垂れたロープ（４）が重なる目盛の色を読み取る。傾斜角度目盛（１５）は大まかに３分割に刻み、角度の大きい順に赤色、黄色、青色で印をしてあり、色は下記（ト）で後脚（５）の長さを調整する際に利用する。
（ヘ）    椅子を持ち上げ、後脚（５）の長さが変わらないように固定されている長さ固定部（７）のナット上（１０）とナット下（１１）の締め付けを、ナット下（１１）を手で左に廻して緩め、後脚下（８）を回動可能とし、後脚（５）の長さを調整可能な状態にする。
（ト）    上記（ホ）で読み取った色と同じ色を、後脚下（８）に書かれた目印線（１４）で探し、その線がナット上（１０）の真下位置に来るよう後脚下（８）を廻して後脚（５）の長さを調整する。
（チ）    上記（ト）で大まかな長さ調整を行った後、実際に座って傾きを確認し、座面が水平となるよう再度  後脚下（８）を回動して微調整する。
（リ）    後脚（５）の長さが決まったら、長さ固定部（７）のナット下（１１）を手で右に回し（締める）、ナット上（１０）に強く締め付け合わせて、椅子を使用中に後脚（５）の長さが変わらないように固定する。
（ヌ）    傾斜面で椅子に座る際は、使っている間に、重力等の重みで下方に椅子が滑り落ちて転倒する危険があるため、後脚下（８）下方の先端部（９）で鋭角な先端（１２）を地面に充分に沈み込ませ、位置を固定してから使用する。なお、沈み込みを防止するための傘（１３）で過度な沈み込みを防止する機能も設けている。
【符号の説明】
【０００９】１  背もたれ面
２  座面
３  前脚
４  傾斜角度を測るロープ
５  後脚
６  後脚上（パイプ状）
７  長さ固定部
８  後脚下（溝付）
９  後脚下の先端部
１０  ナット上（６に固定）
１１  ナット下（取っ手付）
１２  鋭角な先端
１３  沈み込み防止傘
１４  傾斜角度に合わせた目印線
１５  傾斜角度目盛
【図１】
2013198707.tif 000003
【図２】
2013198707.tif 000004
【図３】
2013198707.tif 000005
【図４】
2013198707.tif 000006
【図５】
2013198707.tif 000007
【図６】
2013198707.tif 000008
【図７】
2013198707.tif 000009